(57)【特許請求の範囲】
【請求項１】
定着ローラと、この定着ローラに対向して設けられた加圧ローラと、加圧ローラに押圧されて回転するクリーニングローラとを具えた定着装置において、
前記クリーニングローラは、定着される用紙の最大紙幅より外側周面に１個以上の環状突部を有し、
前記環状突部は、加圧ローラの端部より外側の位置に加圧ローラに接することなく設けられ、加圧ローラから除去したトナーが、クリーニングローラに付着し、ゴム状に軟化し、該加圧ローラによる加圧によって流動してくるトナーを堰き止め、クリーニングローラの端部に移動することを阻止していることを特徴とする定着装置。
【発明の詳細な説明】
【０００１】
【発明の属する技術分野】
この発明は、定着装置に関するものである。
【０００２】
【従来の技術】
従来の定着装置として、その主要部がこの発明と同様に構成されているものがあり、これを図１を参照して説明することとする。それは定着ローラ１と、この定着ローラ１に対向して設けられた加圧ローラ２と、加圧ローラ２に押圧されて回転するクリーニングローラとを具えていて、定着ローラ１の内部にはヒータ４が設けられている。そしてクリーニングローラ13は、通常図６，７に示すようになっていて、通紙される用紙の最大紙幅Ｗより大きい長さＬとなっている。そしてこのようなクリーニングローラ13は、その両端の軸部５が図示しない機枠に取付けた軸受６に回転可能に支持されており、なお７はサーミスタ、８は分離爪をそれぞれ示す。
【０００３】
このような定着装置においては、定着ローラ１と加圧ローラ２とのニップ部に、トナー画像９を担持した用紙10が通紙され、定着ローラ１と加圧ローラ２とで加圧加熱されて用紙10にトナー画像９が定着される。このような定着作動に際し加圧ローラ２にトナーが付着するので、このトナーをクリーニングローラ13で除去する。
【０００４】
【発明が解決しようとする課題】
ところでこのようなクリーニングローラ13によって除去されるトナーＴは、除去作業の初期にあっては、用紙の最大紙幅Ｗ部に対応するクリーニングローラ13の表面に付着するのであるが、その付着量が増大すると熱によってゴム状に軟化し、加圧によって図６に矢印で示すように長手方向に流動して、その端部から図７に示すように軸部５を経て軸受６に移動し、軸受６の内部に進入して軸部５又は軸受６を損傷したり、また立上り時には温度が低温となっているため、固体状のトナーがクリーニングローラ13を回転しないようにロックしてしまうというような問題がある。
【０００５】
そこでこの発明の目的は、前記のような従来の定着装置のもつ問題を解消し、加圧ローラからクリーニングローラによって除去されて表面に付着したトナーの付着量が増大し、ゴム状に軟化してクリーニングローラの長手方向に流動しても、その端部から軸部を経て軸受に移動して進入するようなことがなくて、クリーニングローラの軸部又は軸受を損傷し、また立上り時の低温状態において、固体状となったトナーがクリーニングローラを回転しないようにロックしてしまうというようなことのない定着装置を提供するにある。
【０００６】
【課題を解決するための手段】
この発明は、前記のような目的を達成するために、請求項１に記載の発明は、定着ローラと、この定着ローラに対向して設けられた加圧ローラと、加圧ローラに押圧されて回転するクリーニングローラとを具えた定着装置において、前記クリーニングローラは、定着される用紙の最大紙幅より外側周面に１個以上の環状突部を有し、前記環状突部は、加圧ローラの端部より外側の位置に加圧ローラに接することなく設けられ、加圧ローラから除去したトナーが、クリーニングローラに付着し、ゴム状に軟化し、該加圧ローラによる加圧によって流動してくるトナーを堰き止め、クリーニングローラの端部に移動することを阻止していることを特徴するものである。
【０００８】
【発明の実施の形態】
この発明の実施の形態を図面を参照して説明する。各実施形態において、前記従来例について説明したと同様の部分には同一の符号を付して説明を省略し、主として異なる部分について説明する。
【０００９】
図１，２に示すクリーニングローラの第１実施形態において、該クリーニングローラ３は、定着される用紙の最大紙幅Ｗより外側周面に各１個の環状溝11を有している。この実施形態では環状溝11が１個となっているが、所望によりこれより多くしてもよい。
【００１０】
このような定着装置においては、加圧ローラ２からクリーニングローラ３によって除去されて、クリーニングローラ３の表面に付着したトナーＴの付着量が増大し、ゴム状に軟化してクリーニングローラ３の長手方向に流動しても、図３に示すようにクリーニングローラ３の表面に設けた環状溝11に、流入してそれより外方に移動することが阻止され、軸部５から軸受６に移動してこれに進入するようなことがなくて、クリーニングローラ３の軸部５又は軸受６を損傷し、また立上り時の低温状態において、固体状となったトナーがクリーニングローラ３を回転しないようにロックするようなことがない。
【００１１】
図４，５に示すクリーニングローラの第２実施形態において、該クリーニングローラ３は、定着される用紙の最大紙幅Ｗより外側周面に各１個の環状突部12を有している。この実施形態では環状突部12が１個となっており、また環状突部12が、加圧ローラ２の端部より外側周面に設けられている。しかし個数を所望によりこれより多くしてもよく、また環状突部12を加圧ローラ２の端部より内側周面に設けてもよく、内側周面に位置していても、それと加圧ローラ２との当接部は加圧ローラ２の弾性によって吸収されて干渉するようなことはない。
【００１２】
このような定着装置においては、加圧ローラ２からクリーニングローラ３によって除去されて、クリーニングローラ３の表面に付着したトナーの付着量が増大し、ゴム状に軟化してクリーニングローラ３の長手方向に流動しても、図５に示すようにクリーニングローラ３の表面に設けた環状突部12に、堰き止められてそれより外方に移動することが阻止され、軸部５から軸受６に移動してこれに進入するようなことがなくて、クリーニングローラ３の軸部５又は軸受６を損傷し、また立上り時の低温状態において、固体状となったトナーがクリーニングローラ３を回転しないようにロックするようなことがない。また環状突部12が、加圧ローラ２の端部より外側周面に設けられたものは、加圧ローラ２にストレスをかけて変形させ、損傷させるというようなことがない。
【００１３】
【発明の効果】
この発明は上記のようであって、定着ローラと、この定着ローラに対向して設けられた加圧ローラと、加圧ローラに押圧されて回転するクリーニングローラとを具えた定着装置において、請求項１に記載の発明は、前記クリーニングローラは、定着される用紙の最大紙幅より外側周面に１個以上の環状突部を有し、環状突部は、加圧ローラの端部より外側の位置に加圧ローラに接することなく設けられ、加圧ローラから除去したトナーが、クリーニングローラに付着し、ゴム状に軟化し、該加圧ローラによる加圧によって流動してくるトナーを堰き止め、クリーニングローラの端部に移動することを阻止しているので、加圧ローラからクリーニングローラによって除去されて表面に付着したトナーの付着量が増大し、このトナーが、ゴム状に軟化し、加圧ローラによる加圧によってクリーニングローラの長手方向に流動しても、環状突部に、堰き止められてそれより外方に移動することが阻止され、軸部から軸受に移動してこれに進入するようなことがなくて、クリーニングローラの軸部又は軸受を損傷し、また立上り時の低温状態において、固体状となったトナーがクリーニングローラを回転しないようにロックするようなことがない。また環状突部が、加圧ローラの端部よりも外側の位置に設けられて加圧ローラに接していないので、加圧ローラにストレスをかけて変形させ、損傷させるというようなことがないという効果がある。
【図面の簡単な説明】
【図１】この発明の全体の概略正面図である。
【図２】この発明のクリーニングローラの第１実施形態の使用状態を示す概略正面図である。
【図３】同上のクリーニングローラの一端部を示す拡大図である。
【図４】この発明のクリーニングローラの第２実施形態の使用状態を示す概略正面図である。
【図５】同上のクリーニングローラの一端部を示す拡大図である。
【図６】この発明と同種の従来の定着装置のクリーニングローラの使用状態を示す概略正面図である。
【図７】同上のクリーニングローラの一端部を示す拡大図である。
【符号の説明】
１  定着ローラ                  ２  加圧ローラ
３  クリーニングローラ          ４  ヒータ
５  軸部                        ６  軸受
９  トナー画像                  10  用紙
11  環状溝                      12  環状突部
【図１】
0003734305.tif 000002
【図２】
0003734305.tif 000003
【図３】
0003734305.tif 000004
【図４】
0003734305.tif 000005
【図５】
0003734305.tif 000006
【図６】
0003734305.tif 000007
【図７】
0003734305.tif 000008